(57)【要約】【課題】  携帯電話機から車載ハンズフリー装置に登録された電話番号情報が第三者に不正に漏洩してしまうことを未然に回避し、セキュリティを適切に確保する。【解決手段】  車載ハンズフリー装置２は、携帯電話機３から電話番号情報の登録要求が行われると、携帯電話機３から受信されたリンクキーと電話番号情報とを関連付けて保持し、携帯電話機３から電話番号情報の閲覧要求が行われると、携帯電話機３から受信された携帯電話機ＩＤと車載ハンズフリー装置ＩＤとに基づいてリンクキーを生成し、その生成されたリンクキーと関連付けられて保持されている電話番号情報の閲覧を許可する一方で関連付けられていない電話番号情報の閲覧を禁止する。携帯電話機３を使用するユーザは、自分が登録した電話番号情報のみを閲覧でき、自分が登録した電話番号情報が第三者に不正に閲覧されてしまうことを未然に回避できる。【選択図】  図１
2005354268.tif 000002
【特許請求の範囲】
【請求項１】
携帯機器に保持されている情報が車載装置に登録されると共に携帯機器から車載装置に登録された情報が開示されるように構成された車載用情報登録・開示システムであって、
携帯機器は、車載装置に対して情報の登録要求を行う場合には、予め車載装置から受信された車載装置にて携帯機器ＩＤと車載装置ＩＤとに基づいて生成されたリンクキーと情報とを車載装置へ送信し、車載装置に対して情報の開示要求を行う場合には、携帯機器ＩＤを車載装置へ送信し、
車載装置は、携帯機器からの情報の登録要求が行われた場合には、携帯機器から受信されたリンクキーと情報とを関連付けて保持し、携帯機器からの情報の開示要求が行われた場合には、携帯機器から受信された携帯機器ＩＤと車載装置ＩＤとに基づいてリンクキーを生成し、その生成されたリンクキーと関連付けられて保持されている情報の開示を許可すると共にリンクキーと関連付けられていない情報の開示を禁止することを特徴とする車載用情報登録・開示システム。
【請求項２】
請求項１に記載した車載用情報登録・開示システムにおいて、
複数のセキュリティレベルのうち所定のセキュリティレベルが設定されている場合には、車載装置と携帯機器との間でリンクキーを利用する手順により情報の登録や開示を行い、他のセキュリティレベルが設定されている場合には、車載装置と携帯機器との間でリンクキーを利用する手順とは異なる手順により情報の登録や開示を行うことを特徴とする車載用情報登録・開示システム。
【請求項３】
携帯機器に保持されている情報が車載装置に登録されると共に携帯機器から車載装置に登録された情報が開示されるように構成された車載用情報登録・開示システム内で用いられる車載装置であって、
携帯機器からの情報の登録要求が行われた場合には、携帯機器から受信されたリンクキーと情報とを関連付けて保持し、携帯機器からの情報の開示要求が行われた場合には、携帯機器から受信された携帯機器ＩＤと車載装置ＩＤとに基づいてリンクキーを生成し、その生成されたリンクキーと関連付けられて保持されている情報の開示を許可すると共にリンクキーと関連付けられていない情報の開示を禁止することを特徴とする車載装置。
【請求項４】
携帯機器に保持されている情報が車載装置に登録されると共に携帯機器から車載装置に登録された情報が開示されるように構成された車載用情報登録・開示システム内で用いられる携帯機器であって、
車載装置に対して情報の登録要求を行う場合には、予め車載装置から受信された車載装置にて携帯機器ＩＤと車載装置ＩＤとに基づいて生成されたリンクキーと情報とを車載装置へ送信し、車載装置に対して情報の開示要求を行う場合には、携帯機器ＩＤを車載装置へ送信することを特徴とする携帯機器。
【発明の詳細な説明】
【技術分野】
【０００１】
本発明は、携帯機器に保持されている情報が車載装置に登録されると共に携帯機器から車載装置に登録された情報が開示されるように構成された車載用情報登録・開示システム、前記車載用情報登録・開示システム内で用いられる車載装置および携帯機器に関する。
【背景技術】
【０００２】
従来より、例えば携帯電話機が車載装置（車載ハンズフリー装置や車載ナビゲーション装置など）に接続されている状態で、ユーザが携帯電話機にて所定の登録操作を行うことにより、携帯電話機に電話帳として保持されている電話番号情報が車載装置に登録され、ユーザが携帯電話機にて所定の閲覧操作を行うことにより、車載装置に電話帳として登録された電話番号情報が携帯電話機へ送信されて表示されるものがある（例えば特許文献１参照）。
【特許文献１】特開２００２−３６８８７６号公報
【発明の開示】
【発明が解決しようとする課題】
【０００３】
ところで、車載装置では、携帯電話機から送信された電話番号情報が携帯電話機の機器毎に区別されることなく電話帳として登録されるので、登録元の携帯電話機が車載装置に接続された場合に、その登録元の携帯電話機から登録された電話番号情報が閲覧可能である一方で、登録元の携帯電話機とは異なる携帯電話機が車載装置に接続された場合であっても、その登録元の携帯電話機から登録された電話番号情報が閲覧可能でもある。そのため、例えばホテルなどでキーを預けて車両を駐車場まで移動してもらう場合など車両を第三者に預けるような場合には、第三者が悪意を持って携帯電話機を車載装置に接続することにより、その車載装置に電話帳として登録された電話番号情報が第三者に不正に閲覧されてしまうという虞があり、セキュリティを適切に確保することができないという問題があった。
【０００４】
本発明は、上記した事情に鑑みてなされたものであり、その目的は、携帯機器から車載装置に登録された情報が第三者に不正に漏洩してしまうことを未然に回避することができ、セキュリティを適切に確保することができる車載用情報登録・開示システムおよび車載装置を提供することにある。
【課題を解決するための手段】
【０００５】
請求項１に記載した車載用情報登録・開示システムによれば、携帯機器は、車載装置に対して情報の登録要求を行う場合には、予め車載装置から受信された車載装置にて携帯機器ＩＤと車載装置ＩＤとに基づいて生成されたリンクキーと情報とを車載装置へ送信し、これに伴って、車載装置は、携帯機器からの情報の登録要求が行われると、携帯機器から受信されたリンクキーと情報とを関連付けて保持する。そして、携帯機器は、車載装置に対して情報の開示要求を行う場合には、携帯機器ＩＤを車載装置へ送信し、これに伴って、車載装置は、携帯機器からの情報の開示要求が行われると、携帯機器から受信された携帯機器ＩＤと車載装置ＩＤとに基づいてリンクキーを生成し、その生成されたリンクキーと関連付けられて保持されている情報の開示を許可する一方で関連付けられていない情報の開示を禁止する。
【０００６】
これにより、情報の登録要求を行った携帯機器と情報の開示要求を行った携帯機器とが同一であれば、情報の登録要求を行った携帯機器から車載装置に登録された情報の開示が許可され、これに対して、情報の登録要求を行った携帯機器と情報の開示要求を行った携帯機器とが異なっていれば、情報の登録要求を行った携帯機器から車載装置に登録された情報の開示が禁止されることになるので、携帯機器から車載装置に登録された情報が第三者に不正に漏洩してしまうことを未然に回避することができ、セキュリティを適切に確保することができる。つまり、携帯機器を使用するユーザは、自分が登録した情報のみを閲覧することができ、自分が登録した情報が第三者に不正に閲覧されてしまうことを未然に回避することができる。
【０００７】
尚、ここでいう情報の開示とは、情報の閲覧や情報の利用などを言うものであり、例えば車載装置が車載ハンズフリー装置であり、情報が電話番号情報であれば、携帯機器から車載ハンズフリー装置に登録された電話番号情報が表示されたり、携帯機器から車載ハンズフリー装置に登録された電話番号情報が発信電話番号として発信動作が行われたりすることを言うものである。
【０００８】
請求項２に記載した車載用情報登録・開示システムによれば、複数のセキュリティレベルのうち所定のセキュリティレベルが設定されていると、車載装置と携帯機器との間でリンクキーを利用する手順により情報の登録および開示を行い、他のセキュリティレベルが設定されていると、車載装置と携帯機器との間でリンクキーを利用する手順とは異なる手順により情報の登録および開示を行う。
【０００９】
これにより、十分なセキュリティレベルを必要とする情報を登録する場合には、車載装置と携帯機器との間でリンクキーを利用する手順により情報の登録および開示を行い、これに対して、十分なセキュリティレベルを必要としない情報を登録する場合には、車載装置と携帯機器との間でリンクキーを利用する手順とは異なる手順（例えば単純なパスワードの入力を利用する手順）により情報の登録および開示を行うことにより、情報のセキュリティレベルに応じてフレキシブルな対応を実現することができる。
【００１０】
請求項３に記載した車載装置によれば、携帯機器から受信されたリンクキーと情報とを関連付けて保持し、携帯機器からの情報の開示要求が行われた場合には、携帯機器から受信された携帯機器ＩＤと車載装置ＩＤとに基づいてリンクキーを生成し、その生成されたリンクキーと関連付けられて保持されている情報の開示を許可すると共にリンクキーと関連付けられていない情報の開示を禁止する。これにより、上記した請求項１に記載した車載用情報登録・開示システム内の車載装置として機能することができ、車載用情報登録・開示システム内の携帯機器と共に使用されることにより、携帯機器から車載装置に登録された情報が第三者に不正に漏洩してしまうことを未然に回避することができ、セキュリティを適切に確保することができる。
【００１１】
請求項４に記載した携帯機器によれば、車載装置に対して情報の登録要求を行う場合には、車載装置から受信された予め車載装置にて携帯機器ＩＤと車載装置ＩＤとに基づいて生成されたリンクキーと情報とを車載装置へ送信し、車載装置に対して情報の開示要求を行う場合には、携帯機器ＩＤを車載装置へ送信する。これにより、上記した請求項１に記載した車載用情報登録・開示システム内の携帯機器として機能することができ、車載用情報登録・開示システム内の車載装置と共に使用されることにより、携帯機器から車載装置に登録された情報が第三者に不正に漏洩してしまうことを未然に回避することができ、セキュリティを適切に確保することができる。
【発明を実施するための最良の形態】
【００１２】
以下、本発明の一実施形態として、車載装置として車載ハンズフリー装置を適用すると共に携帯機器として携帯電話機を適用し、情報として電話番号情報を適用した場合について、図面を参照して説明する。まず、図２は、車載用情報登録・開示システムの全体構成を概略的に示している。
【００１３】
車載用情報登録・開示システム１は、車載ハンズフリー装置２と、車載ハンズフリー装置２との間で電話番号情報などを送受信可能な携帯電話機３とから構成されている。この場合、車載ハンズフリー装置２と携帯電話機３との間の接続は、無線ＬＡＮやＢｌｕｅｔｏｏｔｈ（登録商標）などによる無線接続であっても良いし、接続ケーブルによる有線接続であっても良い。尚、本実施形態では、これ以降、車載ハンズフリー装置２と携帯電話機３とが無線接続される場合を説明する。
【００１４】
車載ハンズフリー装置２は、車載ハンズフリー装置２の動作全般を制御する制御部２１と、複数のキーが配列されてなる操作部２２と、ユーザが発した音声を送話音声として入力する送話音声入力部２３と、携帯電話網から携帯電話機３に受信された音声を受話音声として出力する受話音声出力部２４と、携帯電話機３との間で狭域無線通信を行う狭域無線通信部２５と、車載ハンズフリー装置２に固有な車載ハンズフリー装置ＩＤを保持している装置ＩＤ保持部２６と、リンクキーを生成するリンクキー生成部２７と、リンクキーを保持するリンクキー保持部２８と、電話番号情報を保持する電話番号保持部２９とを備えて構成されている。尚、この場合、制御部２１は、送話音声や受話音声の利得などを制御する音声処理機能をも備えて構成されている。
【００１５】
一方、携帯電話機３は、携帯電話機３の動作全般を制御する制御部３１と、携帯電話網との間で無線通信を行う無線通信部３２と、複数のキーが配列されてなる操作部３３と、ユーザが発した音声を送話音声として入力する送話音声入力部３４と、携帯電話網から受信された音声を受話音声として出力する受話音声出力部３５と、車載ハンズフリー装置２３との間で狭域無線通信を行う狭域無線通信部３６と、電話番号情報などを表示する表示部３７と、携帯電話機３に固有な携帯電話機ＩＤを保持している電話機ＩＤ保持部３８と、リンクキーを保持するリンクキー保持部３９と、電話番号情報を保持する電話番号保持部４０とを備えて構成されている。
【００１６】
次に、上記した構成の作用について、図１、図３および図４を参照して説明する。ここで、図３は、車載ハンズフリー装置２が行う処理をフローチャートとして示しており、図４は、携帯電話機３が行う処理をフローチャートとして示している。尚、この場合、車載ハンズフリー装置２と携帯電話機３とは、双方の電源が投入されている状態では、例えば携帯電話機３が車室内に持ち込まれて互いの距離が所定距離（例えば数十センチメートル）以内になると、狭域無線通信リンクを自動的に確立することを前提として説明する。また、ここでは、ユーザが予め複数のセキュリティレベルのうちからいずれを設定しているものとして説明する。
【００１７】
車載ハンズフリー装置２において、制御部２１は、例えば携帯電話機３が車室内に持ち込まれて携帯電話機３との間で狭域無線通信リンクが確立された旨を検出すると（ステップＳ１にて「ＹＥＳ」）、その時点で設定されているセキュリティレベルが所定のセキュリティレベルであるか否かを判定する（ステップＳ２）。そして、制御部２１は、その時点で設定されているセキュリティレベルが所定のセキュリティレベルである旨を検出すると（ステップＳ２にて「ＹＥＳ」）、ＩＤ要求信号を狭域無線通信部２５から携帯電話機３へ送信させる（ステップＳ３）。
【００１８】
携帯電話機３において、制御部３１は、車載ハンズフリー装置２から送信されたＩＤ要求信号が狭域無線通信部３６に受信された旨を検出すると（ステップＴ１にて「ＹＥＳ」）、電話機ＩＤ保持部３８から携帯電話機ＩＤを読出し（ステップＴ２）、その読出された携帯電話機ＩＤを狭域無線通信部３６から車載ハンズフリー装置２へ送信させる（ステップＴ３）。
【００１９】
車載ハンズフリー装置２において、制御部２１は、携帯電話機３から送信された携帯電話機ＩＤが狭域無線通信部２５に受信された旨を検出すると（ステップＳ４にて「ＹＥＳ」）、その受信された携帯電話機ＩＤに対応するリンクキーが既にリンクキー保持部２８に保持されているか否かを判定する（ステップＳ５）。ここで、制御部２１は、その受信された携帯電話機ＩＤに対応するリンクキーがリンクキー保持部２８に保持されていない旨を検出すると（ステップＳ５にて「ＮＯ」）、装置ＩＤ保持部２６から車載ハンズフリー装置ＩＤを読出し（ステップＳ６）、その受信された携帯電話機ＩＤと当該読出された車載ハンズフリー装置ＩＤとをリンクキー生成部２７により所定のアルゴリズムで演算させてリンクキーを生成させる（ステップＳ７）。
【００２０】
次いで、制御部２１は、その生成されたリンクキーをリンクキー保持部２８に保持させると共に（ステップＳ８）、その生成されたリンクキーを狭域無線通信部２５から携帯電話機３へ送信させる（ステップＳ９）。これに対して、制御部２１は、その受信された携帯電話機ＩＤに対応するリンクキーがリンクキー保持部２８に保持されている旨を検出すると（ステップＳ５にて「ＹＥＳ」）、その保持されているリンクキーを狭域無線通信部２５から携帯電話機３へ送信させる（ステップＳ９）。
【００２１】
携帯電話機３において、制御部３１は、車載ハンズフリー装置２から送信されたリンクキーが狭域無線通信部３６に受信された旨を検出すると（ステップＴ４にて「ＹＥＳ」）、その受信されたリンクキーをリンクキー保持部３９に保持させる（ステップＴ５）。
【００２２】
さて、ここで、ユーザが携帯電話機３にて電話番号情報を登録する操作（電話帳の登録操作）を行った場合を考える。制御部３１は、ユーザが携帯電話機３にて電話番号情報を登録する操作を行った旨を検出すると（ステップＴ６にて「ＹＥＳ」）、ユーザにより登録すべき電話番号情報として指定された電話番号情報を電話番号保持部４０から読出すと共に（ステップＴ７）、リンクキーをリンクキー保持部３９から読出し（ステップＴ８）、その読出された電話番号情報とリンクキーとが含まれた登録要求信号を狭域無線通信部３６から車載ハンズフリー装置２へ送信させる（ステップＴ９）。
【００２３】
車載ハンズフリー装置２において、制御部２１は、携帯電話機３から送信された登録要求信号が狭域無線通信部２５に受信された旨を検出すると（ステップＳ１０にて「ＹＥＳ」）、その受信された登録要求信号から電話番号情報とリンクキーとを抽出し、その抽出された電話番号情報とリンクキーとを関連付けて電話番号保持部２９に保持させる（ステップ１１）。
【００２４】
次に、ユーザが携帯電話機３にて車載ハンズフリー装置２に登録された電話番号情報を閲覧する操作（電話帳の閲覧操作）を行った場合を考える。制御部３１は、ユーザが携帯電話機３にて電話番号情報を閲覧する操作を行った旨を検出すると（ステップＴ１０にて「ＹＥＳ」）、電話機ＩＤ保持部３８から携帯電話機ＩＤを読出し（ステップＴ１１）、その読出された携帯電話機ＩＤが含まれた閲覧要求信号を狭域無線通信部３６から車載ハンズフリー装置２へ送信させる（ステップＴ１２）。
【００２５】
車載ハンズフリー装置２において、制御部２１は、携帯電話機３から送信された閲覧要求信号が狭域無線通信部２５に受信された旨を検出すると（ステップＳ１２にて「ＹＥＳ」）、その受信された閲覧要求信号からリンクキーを抽出し、装置ＩＤ保持部２６から車載ハンズフリー装置ＩＤを読出し（ステップＳ１３）、その抽出された携帯電話機ＩＤと当該読出された車載ハンズフリー装置ＩＤとをリンクキー生成部２７により所定のアルゴリズムで演算させてリンクキーを生成させる（ステップＳ１４）。そして、制御部２１は、その生成されたリンクキーを基準にして電話番号保持部２９に保持されている電話番号情報を検索し（ステップＳ１５）、その生成されたリンクキーと関連付けられた電話番号情報が電話番号保持部２９に保持されているか否かを判定する（ステップＳ１６）。
【００２６】
ここで、制御部２１は、これよりも以前に登録要求信号を送信した携帯電話機３と今回の閲覧要求信号を送信した携帯電話機３とが同一であると、つまり、電話番号情報の登録要求を行った携帯電話機３と電話番号情報の閲覧要求を行った携帯電話機３とが同一であると、リンクキーと関連付けられた電話番号情報が電話番号保持部２９に保持されていることになるので、リンクキーと関連付けられた電話番号情報が電話番号保持部２９に保持されている旨を検出すると（ステップＳ１６にて「ＹＥＳ」）、その該当する電話番号情報を電話番号保持部２９から読出し（ステップＳ１７）、その読出された電話番号情報を狭域無線通信部２５から携帯電話機３へ送信させる（ステップＳ１８）。
【００２７】
そして、携帯電話機３において、制御部３１は、車載ハンズフリー装置２から送信された電話番号情報が狭域無線通信部３６に受信された旨を検出すると（ステップＴ１３にて「ＹＥＳ」）、その受信された電話番号情報を表示部３７に表示させる（ステップＴ１４）。これにより、ユーザは、自身が登録した電話番号情報を閲覧することが可能となる。
【００２８】
これに対して、車載ハンズフリー装置２において、制御部２１は、これよりも以前に登録要求信号を送信した携帯電話機３と今回の閲覧要求信号を送信した携帯電話機３とが異なっていると、つまり、電話番号情報の登録要求を行った携帯電話機３と電話番号情報の閲覧要求を行った携帯電話機３とが異なっていると、リンクキーと関連付けられた電話番号情報が電話番号保持部２９に保持されていないことになるので、リンクキーと関連付けられた電話番号情報が電話番号保持部２９に保持されていない旨を検出すると（ステップＳ１６にて「ＮＯ」）、エラー情報を狭域無線通信部２５から携帯電話機３へ送信させる（ステップＳ１９）。
【００２９】
そして、携帯電話機３において、制御部３１は、車載ハンズフリー装置２から送信されたエラー情報が狭域無線通信部３６に受信された旨を検出すると（ステップＴ１５にて「ＹＥＳ」）、その受信されたエラー情報を表示部３７に表示させる（ステップＴ１６）。
【００３０】
尚、車載ハンズフリー装置２において、制御部２１は、携帯電話機３との間で狭域無線通信リンクが確立された時点で設定されているセキュリティレベルが所定のセキュリティレベルでない旨を検出すると（ステップＳ２にて「ＮＯ」）、上記した一連の処理（リンクキーを利用して電話番号情報の登録・閲覧を行う処理）を行うことはなく、その時点で設定されている他のセキュリティレベルに応じた他の処理（例えば単純なパスワードの入力を利用して電話番号情報の登録・閲覧を行う処理）を行う。
【００３１】
また、図１は、以上に説明した一連の処理にあって電話番号情報が表示されるまでの車載ハンズフリー装置２が行う処理（ステップＳ１０１〜Ｓ１０５）と携帯電話機３が行う処理（ステップＴ１０１〜Ｔ１０４）とをシーケンス図として示している。
【００３２】
ところで、以上は、登録要求信号を送信した携帯電話機３と閲覧要求信号を送信した携帯電話機３とが同一である場合に、携帯電話機３から車載ハンズフリー装置２に登録された電話番号情報が携帯電話機３へ送信されて表示される場合を説明したものであるが、携帯電話機３から車載ハンズフリー装置２に登録された電話番号情報が例えば車載ナビゲーション装置（図示せず）へ送信されて車載ナビゲーション装置のモニタに表示されても良い。また、以上は、リンクキーと関連付けられた電話番号情報が表示される構成を説明したものであるが、例えばリンクキーと関連付けられた電話番号情報が発信電話番号として利用されて発信動作が行われる構成であっても良い。
【００３３】
以上に説明したように本実施形態によれば、車載ハンズフリー装置２において、携帯電話機３からの電話番号情報の登録要求が行われると、携帯電話機３から受信されたリンクキーと電話番号情報とを関連付けて保持し、携帯電話機３からの電話番号情報の閲覧要求が行われると、携帯電話機３から受信された携帯電話機ＩＤと車載ハンズフリー装置ＩＤとに基づいてリンクキーを生成し、その生成されたリンクキーと関連付けられて保持されている電話番号情報の閲覧を許可する一方で関連付けられていない電話番号情報の閲覧を禁止するように構成した。
【００３４】
これにより、電話番号情報の登録要求を行った携帯電話機３と電話番号情報の閲覧要求を行った携帯電話機３とが同一であれば、電話番号情報の登録要求を行った携帯電話機３から車載ハンズフリー装置２に登録された電話番号情報の閲覧が許可され、これに対して、電話番号情報の登録要求を行った携帯電話機３と電話番号情報の閲覧要求を行った携帯電話機３とが異なっていれば、電話番号情報の登録要求を行った携帯電話機３から車載ハンズフリー装置２に登録された電話番号情報の閲覧が禁止されることになるので、携帯電話機３から車載ハンズフリー装置２に登録された電話番号情報が第三者に不正に漏洩してしまうことを未然に回避することができ、セキュリティを適切に確保することができる。つまり、携帯電話機３を使用するユーザは、自分が登録した電話番号情報のみを閲覧することができ、自分が登録した電話番号情報が第三者に不正に閲覧されてしまうことを未然に回避することができる。
【００３５】
本発明は、上記した実施形態にのみ限定されるものではなく、以下のように変形または拡張することができる。
車載装置は、車載ハンズフリー装置に限らず、例えば車載ナビゲーション装置などの他のものであっても良く、携帯機器は、携帯電話機に限らず、例えば携帯情報端末（ＰＤＡ）などの他のものであっても良い。また、携帯機器から車載装置に登録される情報は、電話番号情報に限らず、例えば個人情報やスケジュール情報や各種の履歴情報などの他のものであっても良い。
【００３６】
携帯電話機および車載ハンズフリー装置のいずれか一方でセキュリティレベルを設定可能な構成であっても良いし、携帯電話機と車載ハンズフリー装置との相互認証の認証結果が正である場合に限ってセキュリティレベルを設定可能な構成であっても良い。車載ハンズフリー装置と携帯電話機との間で狭域無線通信リンクが確立された直後に、携帯電話機が携帯電話機ＩＤを車載ハンズフリー装置へ送信する構成であっても良い。
【図面の簡単な説明】
【００３７】
【図１】本発明の一実施形態を示すものであって、車載ハンズフリー装置と携帯電話機とが行う処理を示すシーケンス図
【図２】機能ブロック図
【図３】車載ハンズフリー装置が行う処理を示すフローチャート
【図４】携帯電話機が行う処理を示すフローチャート
【符号の説明】
【００３８】
図面中、１は車載用情報登録・開示システム、２は車載ハンズフリー装置（車載装置）、３は携帯電話機（携帯機器）である。
【図１】
2005354268.tif 000003
【図２】
2005354268.tif 000004
【図３】
2005354268.tif 000005
【図４】
2005354268.tif 000006